(57)【要約】【課題】簡易な構成により、収納状態における見栄えの低下を抑制しつつ、利便性の向上を図ることができる収納棚を提供する。【解決手段】収納棚１は、上下に並んだ複数の収納空間ＳＰ１〜ＳＰ３を形成する棚板１１，１２，１３と、棚板１１，１２，１３の前面を左右方向の全幅に渡って覆う前板２０と、を備えており、棚板１１，１２，１３は、少なくとも一方の側面が開放されている。【選択図】図３
2019150461.tif 000002
【特許請求の範囲】
【請求項１】
上下に並んだ複数の収納空間を形成する棚板と、
前記棚板の前面を左右方向の全幅に渡って覆う前板と、を備えており、
前記棚板は、少なくとも一方の側面が開放されていることを特徴とする収納棚。
【請求項２】
前記棚板の左右の側面の一方を覆う側板を備えており、
前記前板は、前記側板の前端部に回動自在に軸支されていることを特徴とする請求項１記載の収納棚。
【請求項３】
前記前板の左右方向の幅よりも長い幅を有するとともに、平面視において前記棚板の一方の側面から他方の側面を越えて延伸する形態で、前記棚板の上下方向に並んで配された長棚板を更に備えていることを特徴とする請求項１又は２記載の収納棚。
【請求項４】
前記前板の前面には鏡が配されていることを特徴とする請求項１乃至３のいずれか一項に記載の収納棚。
【請求項５】
前記棚板は設置空間の壁面に固定されており、
前記側板は、前記棚板に固定されているとともに、下端部が床面に当接していることを特徴とする請求項２記載の収納棚。
【請求項６】
前記棚板は上下に並んで複数設けられており、複数の前記棚板のうちの少なくとも１つは、前記前板の左右方向の幅よりも短い幅を有していることを特徴とする請求項１乃至５のいずれか一項に記載の収納棚。
【発明の詳細な説明】
【技術分野】
【０００１】
本発明は収納棚に関する。
【背景技術】
【０００２】
特許文献１は従来の収納棚を開示している。この収納棚は複数の棚板を備えている。棚板の両側面には側板が取り付けられている。収納棚は、これら複数の棚板と両側板とにより、被収納物が収納される収納空間が形成されている。特許文献１の収納棚は、棚板の前面が開放された所謂オープン棚と、棚板の前面に開閉扉が設けられた扉付きの棚とを組み合わせた収納棚である。オープン棚は、前面が開放されているので被収納物を容易に収納することができる。扉付きの棚は、扉によって被収納物を隠すことができる。
【先行技術文献】
【特許文献】
【０００３】
【特許文献１】特開２０１０−１４８７９３号公報
【発明の概要】
【発明が解決しようとする課題】
【０００４】
しかし、オープン棚は、収納空間が前方に開放されているので、被収納物が見えてしまい、収納状態や被収納物よっては、収納棚の見栄えが悪くなってしまう。一方、扉付き棚は、被収納物を隠すことができるが、収納空間にアクセスするためには扉の開閉が必要であり煩雑であった。
【０００５】
本発明は、上記従来の実情に鑑みてなされたものであって、簡易な構成により、収納状態における見栄えの低下を抑制しつつ、利便性の向上を図ることができる収納棚を提供することを解決すべき課題としている。
【課題を解決するための手段】
【０００６】
本発明の収納棚は、
上下に並んだ複数の収納空間を形成する棚板と、
前記棚板の前面を左右方向の全幅に渡って覆う前板と、を備えており、
前記棚板は、少なくとも一方の側面が開放されていることを特徴とする。
【０００７】
本発明の収納棚は、上下方向に並んだ収納空間を形成する棚板の少なくとも一方の側面が開放されている。これにより、収納空間に被収納物を収納する際には、開放された側面から収納空間にアクセスして収納することができる。また、棚板の前面は前板によってその全幅に渡って覆われている。これにより、棚板上の被収納物を前板により隠して前面側からは視認不能とすることができるので、収納状態における美観を保つことができる。
【０００８】
したがって、本発明の収納棚は、簡易な構成により、収納状態における見栄えの低下を抑制しつつ、利便性の向上を図ることができる。
【図面の簡単な説明】
【０００９】
【図１】実施例１に係る収納棚の配置形態を模式的に示す平面図である。
【図２】実施例１に係る収納棚を示す斜視図である。
【図３】実施例１に係る収納棚を示す正面図である。
【図４】他の実施形態に係る収納棚を示す正面図である。
【発明を実施するための形態】
【００１０】
本発明における好ましい実施の形態を説明する。
【００１１】
本発明の収納棚は、前記棚板の左右の側面の一方を覆う側板を備え得る。そして、前記前板は、前記側板の前端部に回動自在に軸支され得る。
この場合、収納空間を前方から開放することができるので収納棚に前方から被収納物を収納することもでき、利便性をより向上させることができる。
【００１２】
本発明の収納棚は、前記前板の左右方向の幅よりも長い幅を有するとともに、平面視において前記棚板の一方の側面から他方の側面を越えて延伸する形態で、棚板の上下方向に並んで配された長棚板を備え得る。
この場合、前板により前面を覆われた収納空間に加えて、前板により前面を覆われてない収納空間を形成することができ、利便性をより向上させることができる。
【００１３】
本発明の収納棚において、前記前板の前面には鏡が配され得る。
この場合、用途が広がるので、収納棚の利便性をより向上させることができる。また、鏡によって、この収納棚の設置空間を広く開放的に見せることができる。
【００１４】
本発明の収納棚において、前記棚板は設置空間の壁面に固定されており、
前記側板は、前記棚板に固定されているとともに、下端部が床面に当接し得る。
この場合、側板を壁面に固定することなく設置することができるので、取付位置の自由度を向上させることができる。
また、側板の下端部を床面に当接させて設置したことによって、収納棚の剛性や安定性の向上を図ることができる。
【００１５】
本発明の収納棚において、前記棚板は上下に並んで複数設けられ得る。そして、複数の前記棚板のうちの少なくとも１つは、前記前板の左右方向の幅よりも短い幅を有し得る。
この場合、左右方向の大きさの異なる収納空間を形成することができる。また、左右幅の小さい棚板との組み合わせにより、上下方向の大きさの異なる収納空間を形成することができる。
【００１６】
次に、本発明の収納棚を具体化した実施例１について、図面を参照しつつ説明する。
【００１７】
＜実施例１＞
実施例１に係る収納棚１は、図１に示すように、洗面所Ｒに配置される収納棚である。洗面所Ｒは、手前側（図１における右方）の居住空間Ｌと奥側（図１における左方）の浴室Ｂとの間に配された空間である。洗面所Ｒには、洗面化粧台Ｖ及び洗濯機Ｍが一方の壁面に沿って並んで配置されている。収納棚１は、これら洗面化粧台Ｖ及び洗濯機Ｍが配置された壁面に対面した壁面Ｗに配置されている。
【００１８】
収納棚１は、３つの棚板１１，１２，１３と、前板２０と、を備えている。また、実施例１の収納棚１は、側板３０及び長棚板１４，１５を備えている。
【００１９】
３つの棚板１１〜１３は、夫々平面視略正方形に形成されている。図２及び図３に示すように、３つの棚板１１〜１３は上下に並んで配されている。これらのうち、最も下段の棚板１１は、洗面所Ｒの床面Ｆから所定の間隔を空けて床面Ｆの上方に配置されている。棚板１２，１３は、棚板１１の上方に所定の間隔を空けて略等間隔に並んで配置されている。３つの棚板１１〜１３は、上下に並んだ３つの収納空間ＳＰ１，ＳＰ２，ＳＰ３及び収納空間ＳＳを形成している。棚板１３の上方には、２つの長棚板１４，１５が上下に並んで配置されている。更に、長棚板１４，１５の上方には天板１６が配置されている。これら棚板１１〜１３、長棚板１４，１５、及び天板１６は、上下方向の間隔が略等間隔とされているとともに、図示しない固定手段によって壁面Ｗに夫々固定されている。長棚板１４，１５は、左右方向の幅が棚板１１〜１３の左右方向の幅よりも長く形成されている。天板１６は、棚板１１〜１３と略同等の大きさである。
【００２０】
図２及び図３に示すように、前板２０は、棚板１１〜１３の前面を左右方向の全幅に渡って覆う形態で配置されている。前板２０は、その幅が棚板１１〜１３の左右方向の幅と略同等の幅で形成されている。また、前板２０は、その下端部が棚板１１の前面を覆うとともに、上端部が天板１６の前面を覆う形態の上下方向を長手方向とする正面視略矩形状に形成されている。このため、前板２０は、長棚板１４，１５の右側端部のみを部分的に覆っている形態とされているとともに、前板２０の下端は床面Ｆから所定の間隔を空けて床面Ｆの上方に位置している。また、前板２０の前面には鏡２１が配されている。
【００２１】
図２及び図３に示すように、側板３０は、３つの棚板１１〜１３の一方の側面を覆う。本実施例の場合、側板３０は、棚板１１〜１３の居住空間Ｌ側となる右側面を覆う形態で配されている。また、棚板１１〜１３の左側面は側板が配置されていない開放された形態とされている。側板３０は、棚板１１〜１３に固定されているとともに、その下端部が床面Ｆに当接している。また、本実施例における側板３０は上端部が天板１６まで延伸して設けられて２つの長棚板１４，１５及び天板１６の右側面も覆っており、これら２つの長棚板１４，１５及び天板１６の右側面に固定されている。一方、側板３０の背面は、壁面Ｗに当接しているが壁面Ｗには固定はされていない。すなわち、側板３０は、下端部が床面Ｆに当接し、左側面が３つの棚板１１〜１３、長棚板１４，１５、及び天板１６に固定され、これらに支持された形態とされている。また、側板３０は、その前端部に前板２０を回動自在に軸支している。具体的には、前板２０の右側端部の裏面と、側板３０の前端部の左面とは図示しないスライドヒンジによって連結されており、これにより前板２０は、右側端部を軸にして前方に開閉自在な形態とされている。
【００２２】
図２及び図３に示すように、長棚板１４，１５は、前板２０よりも左右方向に長い平面視略矩形状をなしている。長棚板１４，１５は、棚板１３の上方であって、天板１６の下方に上下方向に並んで配置されている。長棚板１４，１５の前後方向の長さは、棚板１１〜１３の前後方向の長さと略同等である。各長棚板１４，１５は、平面視において、棚板１１〜１３の右側の側面から、棚板１１〜１３の左側の側面を越えて、左方に延伸する形態で配置されている。具体的には、長棚板１４，１５の右側面には、棚板１１〜１３と同様に側板３０が当接して固定されている。長棚板１４，１５の左側端部は、棚板１１〜１３の左側端部よりも左側に位置している。
【００２３】
次に、上記構成の収納棚１の作用効果について説明する。
図３に示すように、収納棚１は、３つの棚板１１〜１３の上側に収納空間ＳＰ１，ＳＰ２，ＳＰ３が形成される。これらの収納空間ＳＰ１〜ＳＰ３は、各棚板１１〜１３の左側面に側板が配置されておらず開放されている。このため、収納空間ＳＰ１〜ＳＰ３に被収納物を収納する際には、扉を開ける等の作業を必要とせず容易に収納することができ、利便性に優れる。また、収納空間ＳＰ１〜ＳＰ３は、前板２０により各棚板１１〜１３の前面が左右方向の全幅に渡って覆われているので、被収納物を収納した状態において、前板２０により被収納物を隠すことができる。このため、収納空間ＳＰ１〜ＳＰ３に収納された被収納物は前面側からは視認不能とすることができる。
【００２４】
また、図３に示すように、棚板１１の下側には収納空間ＳＳが形成される。この収納空間ＳＳは床面Ｆ上の空間であるので、重量物等を収納するのに好適であるとともに、例えば、自律走行式の掃除機のドックとしても好適である。また、収納空間ＳＳは床面Ｆ上の空間であり、その底面は他の床面Ｆと面一であるので、清掃が容易である。また、収納空間ＳＳは、前板２０の下端が棚板１１の前面を覆うのみで床面Ｆからは離間していることから、前面側が前板２０により覆われていない空間とされている。このため、収納空間ＳＳには前面側からアクセスすることができる。
【００２５】
また、収納棚１は、２つの長棚板１４，１５の上側に、収納空間ＳＰ４，ＳＰ５及び収納空間ＳＬ１，ＳＬ２が夫々形成される。収納空間ＳＰ４，ＳＰ５は、各長棚板１４，１５の右側端部に形成される収納空間であり、収納空間ＳＰ１〜ＳＰ３と同様の形態で利用することができる。収納空間ＳＬ１，ＳＬ２は、長棚板１４，１５が棚板１１〜１３の右側の側面から左側の側面を越えて左方に延伸する形態で設けられていることから、収納空間ＳＰ１〜ＳＰ３とは大きさの異なる左右方向に長い横長の空間となる。このため、より大きな被収納物を収納することができる。また、長棚板１４，１５の前面の一部は前板２０により覆われていないので（図３の場合、左方）、収納空間ＳＬ１，ＳＬ２に前面側から容易にアクセスすることができる。また、収納空間ＳＬ１と収納空間ＳＰ４、及び収納空間ＳＬ２と収納空間ＳＰ５は、長棚板１４，１５上の連続した空間であるので、長棚板１４，１５の左右方向の幅全体に渡る横長の収納空間として利用することができ、より大きな被収納物を収納することもできる。
【００２６】
また、図３に示すように、収納棚１は、長棚板１４の下側に、収納空間ＳＧが形成される。収納空間ＳＧは、長棚板１４が棚板１１〜１３の上方に配置されていることにより、上下方向において棚板１１〜１３上の収納空間ＳＰ１〜ＳＰ３よりも大きな収納空間となる。このため、長棚板１４の下側には、例えば、ほうきやモップ、掃除機等、収納空間ＳＰ１〜ＳＰ３には収納不能な長尺状の被収納物であっても収納可能とされる。
【００２７】
更に、収納棚１は、側板３０が棚板１１〜１３、長棚板１４，１５の右側面を覆う形態で設けられている。このため、収納棚１に収納された被収納物は右側面側からは視認不能とすることができる。そして、上述のように、本実施例では、収納棚１は洗面所Ｒに設置されており、洗面所Ｒ内には、洗面化粧台Ｖや洗濯機Ｍが設置されている。このため、収納される被収納物としては、洗面具や洗濯用品、掃除具、タオル等の生活用品等が考えられる。また、洗面所Ｒの手前側である右側は居住空間Ｌとされている（図１参照）。そして、収納棚１は、収納状態において被収納物を右方から視認不能とすることができるので、生活用品を収納した状態であっても、それらを居住空間Ｌからは視認不能とすることができる。その結果、収納棚１は、生活感漂う空間である洗面所Ｒから居住空間Ｌを切り離す一助となる。
【００２８】
また、前板２０は、その右側端部が側板３０の前端部に回動自在に支持されており、開閉することで収納空間ＳＰ１〜５に前面側から被収納物を収納することもできて使い勝手がよい。更に、前板２０の前面には鏡２１が配されており、収納棚１を多様な形態で利用可能である。例えば、姿見として利用したり、洗面化粧台に備えられた鏡との合わせ鏡として利用したりすることもできる。また、前板２０を回動させることにより居住空間Ｌ側から映す等、鏡２１の角度を変えて利用することもできる。また、鏡２１によって空間の広がりを演出することもできる。
【００２９】
次に、実施例１の収納棚１の設置方法について説明する。
最初に、棚板１１〜１３、長棚板１４，１５、及び天板１６を壁面Ｗに固定する。棚板１１〜１３、長棚板１４，１５、及び天板１６の取り付けはブラケット等の図示しない棚受金具を介して壁面Ｗに固定される。なお、棚板１１〜１３、長棚板１４，１５、及び天板１６の壁面Ｗへの固定に際しては、収納棚１の設置位置を考慮して、予め壁面Ｗに固定用の補強材を必要に応じて入れておくとよい。次に、側板３０を棚板１１〜１３、長棚板１４，１５、及び天板１６の右側面に固定する。この時、側板３０の下端部を床面Ｆに当接させる。これにより、側板３０は、棚板１１〜１３、長棚板１４，１５、及び天板１６と、床面Ｆと、により安定的に支持される。また、側板３０は、壁面Ｗに当接させるのみで固定はしないが、壁面Ｗに固定してより安定的に支持するようにしてもよい。この場合も、必要に応じて、側板３０の固定用の補強材を壁面に入れておくとよい。最後に、前板２０を側板３０に取り付ける。具体的には、前板２０は、その右側端部が前板２０の前端部に図示しないスライドヒンジを介して取り付けられる。これにより、前板２０は、右側端部を軸にして回動自在とされ、各棚板１１〜１３及び長棚板１４，１５上の収納空間ＳＰ１〜５に前面側からアクセス可能である。
【００３０】
以上のように、実施例１の収納棚１は、上下に並んだ複数の収納空間ＳＰ１〜ＳＰ３を形成する棚板１１，１２，１３と、これら棚板１１〜１３の前面を左右方向の全幅に渡って覆う前板２０と、を備えており、棚板１１〜１３は、一方の側面である左側面が開放されている。
【００３１】
収納棚１は、上下方向に並んだ収納空間ＳＰ１〜ＳＰ３を形成する棚板１１〜１３の左方の側面が開放されている。これにより、棚板１１〜１３上の収納空間ＳＰ１〜ＳＰ３に被収納物を収納する際には、開放された左側面からアクセスして収納することができる。また、３つ棚板１１〜１３の前面は前板２０によってその全幅に渡って覆われている。これにより、棚板１１〜１３上の被収納物を前板２０により隠して前面側からは視認不能とすることができる。これにより、収納状態における美観を保つことができる。
【００３２】
したがって、実施例１に係る収納棚１は、簡易な構成により、収納状態における見栄えの低下を抑制しつつ、利便性の向上を図ることができる。
【００３３】
また、実施例１に係る収納棚１は、３つの棚板１１〜１３の右方の側面を覆う側板３０を備えている。そして、前板２０は、この側板３０の前端部に回動自在に軸支されている。この場合、収納空間ＳＰ１〜ＳＰ３を前方から開放することができるので収納棚１に前方から被収納物を収納することもでき、利便性をより向上させることができる。
【００３４】
また、実施例１に係る収納棚１は、前板２０の左右方向の幅よりも長い幅を有するとともに、平面視において３つの棚板１１〜１３の右方の側面から左方の側面を越えて延伸する形態で配された長棚板１４，１５を備えている。このため、前板２０により前面を覆われた収納空間ＳＰ４，ＳＰ５に加えて、前板２０により前面を覆われてない収納空間ＳＬ１，ＳＬ２を形成することができ、利便性をより向上させることができる。
【００３５】
また、実施例１に係る収納棚１において、前板２０の前面には鏡２１が配されている。このため、収納棚１の用途が広がり、利便性をより向上させることができる。また、鏡２１によって、この収納棚１の設置空間を広く開放的に見せることができる。
【００３６】
また、実施例１に係る収納棚１において、３つの棚板１１〜１３は設置空間である洗面所Ｒの壁面Ｗに固定されており、側板３０は、３つの棚板１１〜１３に固定されているとともに、下端部が床面Ｆに当接している。このため、側板３０を壁面Ｗに固定することなく設置することができ、取付位置の自由度を向上させることができる。また、側板３０の下端部が床面Ｆに当接させて設置したことによって、収納棚１の剛性や安定性の向上を図ることができる。
【００３７】
本発明は上記記述及び図面によって説明した実施例１に限定されるものではなく、例えば次のような実施例も本発明の技術的範囲に含まれる。
（１）実施例１では、棚板を複数（３つ）備える形態を例示したが、１つのみの棚板を備える形態や、２つ又は４つ以上の複数の棚板を備える形態であってもよい。
（２）実施例１では、前板の下端が床面から所定の間隔を空けて床面の上方に位置する形態を例示したが、前板の下端が床面に当接する形態や、床面近傍まで延出する形態であってもよい。また、前板の前面に鏡を配することは必須ではない。更に、前板は、一方が他方を回動自在に軸支する形態で左右方向又は上下方向に分割されていてもよい。
（３）実施例１では、棚板の左右の一方の側面としての右側面を覆う側板を備える形態を例示したが、これは必須ではない。側板を備える場合は、左側面を覆う形態であってもよい。更に、側板を備えず、棚板の左右両方の側面が開放された形態であってもよい。
（４）実施例１では、前板が側板の前端部に回動自在に軸支された形態を例示したが、これは必須ではない。前板は、側板に回動不能に固定されていてもよいし、棚板の１つ又は２つ以上に固定又は回動自在に軸支されていてもよい。
（５）実施例１では、２つの長棚板を備え、これら２つの長棚板が棚板の上方に並んで配置される形態を例示したが、これは必須ではない。長棚板を備える場合には、その数は１つ又は３つ以上であってもよい。また、長棚板は、棚板を複数備える場合には、複数の棚板の間に配置される形態であってもよい。
（６）実施例１では、棚板を壁面に固定する形態を例示したが、これは必須ではない。例えば、棚板の背面が固定される背板を備える形態であってもよい。
（７）実施例１では、側板を備え、この側板が棚板にのみ固定される形態を例示したが、側板を備える場合には、側板を、棚板に固定することに加えて、壁面や床面等の他の部材や部位に固定してもよい。
（８）実施例１では、左右方向の幅が前板の幅と略同等の棚板を備える形態を例示したが、これは必須ではない。例えば、図４に示す収納棚２０１のように、前板の幅よりも短い左右幅を有する棚板１７，１８を備える形態であってもよい。この場合、上下方向や左右方向の大きさの異なる収納空間ＳＰ６，ＳＰ７，ＳＰ８，ＳＰ９を形成することができる。なお、棚板を複数備える場合には、左右方向の長さが異なっていてもよい。
【符号の説明】
【００３８】
１…収納棚
１１，１２，１３，１７，１８…棚板
１４，１５…長棚板
１６…天板
２０…前板
２１…鏡
３０…側板
Ｗ…壁面
【図１】
2019150461.tif 000003
【図２】
2019150461.tif 000004
【図３】
2019150461.tif 000005
【図４】
2019150461.tif 000006